(57)【要約】【課題】張荷重を作用させた状態で、棒状又は線状部材を簡単にクランプさせることができるクランプ具を提供すること。【解決手段】骨を貫通する棒状又は線状部材Ｗを保持するクランプ具２は、棒状又は線状部材Ｗが挿入されクランプ本体２３を有し、このクランプ本体２３は、棒状又は線状部材Ｗの挿入方向に沿って次第に径が拡径するテーパ孔部２４３が内部に形成されたケーシング２４と、このテーパ孔部２４３内に収納される複数のボール２５５と、各ボール２５５をテーパ孔部２４３の内面に当接させ、該テーパ孔部２４３の縮径方向に向かって付勢する付勢手段２８とを備え、棒状又は線状部材Ｗが挿入されると、該棒状又は線状部材Ｗが複数のボール２５５により挟持されて棒状又は線状部材Ｗが保持固定される。【選択図】  図５
2005065748.tif 000002
【特許請求の範囲】
【請求項１】
骨を貫通する棒状又は線状部材を保持するクランプ具であって、
前記棒状又は線状部材が挿入されるクランプ本体を有し、
このクランプ本体は、前記棒状又は線状部材の挿入方向に沿って次第に径が拡径するテーパ孔部が内部に形成されたケーシングと、
このテーパ孔部内に収納される複数のボールと、
各ボールを前記テーパ孔部の内面に当接させ、該テーパ孔部の縮径方向に向かって付勢する付勢手段とを備え、
前記棒状又は線状部材が挿入されると、該棒状又は線状部材が前記複数のボールにより挟持されることを特徴とするクランプ具。
【請求項２】
請求項１に記載のクランプ具であって、
前記複数のボールは、各ボールの中心が、挿入される棒状又は線状部材の軸に直交する面内に配置されることを特徴とするクランプ具。
【請求項３】
請求項１または請求項２に記載のクランプ具であって、
前記クランプ本体には、前記テーパ孔部内面に対する各ボールの当接位置を変更する位置調整手段が設けられていることを特徴とするクランプ具。
【請求項４】
請求項１〜請求項３のいずれかに記載のクランプ具であって、
前記棒状又は線状部材の延出方向に対して、前記クランプ本体を仰角方向に回転自在に支持する支持手段を備えていることを特徴とするクランプ具。
【請求項５】
骨内部を貫通する棒状又は線状部材と、前記骨を創外で囲むように配置されるフレームと、このフレームに設けられ、前記棒状又は線状部材を、所定の引張荷重を作用させた状態で前記フレーム上に固定するクランプ具とを備えた創外固定器であって、
前記クランプ具は、請求項１〜請求項４のいずれかに記載のクランプ具であることを特徴とする創外固定器。
【発明の詳細な説明】
【０００１】
【発明の属する技術分野】
本発明は、骨内部を貫通する棒状又は線状部材を保持するクランプ具、および、このクランプ具を用いた創外固定器に関する。
【０００２】
【背景技術】
従来より、脚部の骨折治療や、骨の弯曲整形のために、骨の患部を挟んで一対のリング状のフレームを骨回りに配置し、骨を貫通するワイヤ等の棒状又は線状部材を各フレームに装着させ、フレーム間をネジ軸等で連結したいわゆるイリザロフ式の創外固定器が利用されている。
このイリザロフ式の創外固定器によれば、棒状又は線状部材は、引張荷重が作用した状態でフレームに装着され、各フレームが骨に固定される。そして、ネジ軸を回転させることにより、一対のフレーム間の位置が調整されて、骨折した骨の端部同士を適切な位置で接合したり、弯曲部位を伸ばして正常な状態に矯正することができる。
【０００３】
リング状のフレームに対して、ワイヤ等の棒状又は線状部材を引張荷重が作用した状態で装着する方法として、種々の方法があるが、例えば、ワイヤ等の棒状又は線状部材を、両側から挟み込み、ボルト等の螺合部材を回転させて両側の間隔を小さくして、ワイヤを挟持するクランプを用いた方法が提案されている（例えば、特許文献１）。
【０００４】
【特許文献１】
特表２００２−５２２１４５号公報（［００６０］段落、図１４、図１５、および、図２０参照）
【０００５】
【発明が解決しようとする課題】
しかしながら、前記特許文献に開示される方法では、ワイヤを牽引しながら、ボルト等の螺合部材による締め付けを行わなければならないため、作業が繁雑であるうえ、所望の引張荷重に設定するのが困難であるという問題がある。
【０００６】
本発明の目的は、引張荷重を作用させた状態で、棒状又は線状部材を簡単にクランプさせることができる、クランプ具、及び創外固定具を提供することにある。
【０００７】
【課題を解決するための手段】
本発明のクランプ具は、骨を貫通する棒状又は線状部材を保持するクランプ具であって、前記棒状又は線状部材が挿入されるクランプ本体を有し、このクランプ本体は、前記棒状又は線状部材の挿入方向に沿って次第に径が拡径するテーパ孔部が内面に形成されたクランプ本体と、このテーパ孔部内に収納される複数のボールと、各ボールを前記テーパ孔部の内面に当接させ、該テーパ孔部の縮径方向に向かって付勢する付勢手段とを備え、前記棒状又は線状部材が挿入されると、該棒状部材又は線状部材が前記複数のボールにより挟持されることを特徴とする。
【０００８】
ここで、棒状又は線状部材としては、前述したイリザロフ式創外固定具に用いられる金属製のワイヤの他、骨に固設される金属製のピン等を採用することができる。
クランプ具を構成するボールは、棒状又は線状部材よりも剛性の高いものを使用することができ、セラミック、ステンレス等種々の材料を採用することができるが、剛性が高く脆性破壊しにくいという点からステンレス製のボールを採用するのが好ましい。
付勢手段としては、例えば、テーパ孔部のボール位置よりも拡径側に配置され、一端がボールと当接し、他端がテーパ孔部端面を塞ぐ部材と当接するコイルバネ等を採用することができる。
テーパ孔部の内面は、円錐台、角錘台等、先細り形状の種々の内面を有するものを採用することができ、内面形状も直線的な斜面ばかりでなく、曲面的な構成をも採用することができる。
【０００９】
この発明によれば、棒状又は線状部材の挿入時、テーパ孔部内面の拡径側にボールを待避させた状態で棒状又は線状部材を挿入することで、極めて簡単に棒状又は線状部材を挿入することができる。
一方、棒状又は線状部材に引張荷重を作用させる場合、付勢手段によって複数のボールがテーパ孔部の縮径方向に向かって付勢されるため、棒状又は線状部材が複数のボールによって挟持されてクランプ具に保持され、棒状又は線状部材に所望の引張荷重を作用させることができる。なお、棒状又は線状部材は、挿入方向とは逆向きに牽引され、例えば、１１７６〜１２７４Ｎ（１２０〜１３０ｋｇｗを換算した値）程度の張力が作用するが、前記の構成の本発明によれば、このような張力が作用しても、十分に棒状又は線状部材を保持固定することができる。
【００１０】
本発明では、前述の複数のボールは、各ボールの中心が、挿入される棒状又は線状部材の軸に直交する面内に配置されるのが好ましい。
この発明によれば、付勢手段により複数のボールで棒状又は線状部材を挟持する際、棒状又は線状部材への挟持力を、棒状又は線状部材の軸回りに均等に作用させることが可能となるため、棒状又は線状部材をより強固に保持固定することができる。
【００１１】
本発明では、前記クランプ本体には、テーパ孔部内面に対する各ボールの当接位置を変更する位置調整手段が設けられているのが好ましい。
ここで、位置調整手段としては、クランプ本体のテーパ孔部の縮径方向開口端部に雌ネジ孔を形成しておき、前記棒状又は線状部材が挿入される筒状体から構成され、外面に前記雌ネジと螺合する雄ネジが形成された筒状ネジを採用することができる。
【００１２】
この発明によれば、クランプ本体に位置調整手段が設けられることにより、テーパ孔部内面とのボールの当接位置を変更することができるため、異なる径の棒状又は線状部材を保持固定することができる。例えば、前記の筒状ネジを含む位置調整手段によれば、螺合位置を変更することにより、クランプ本体に対する筒状ネジのテーパ孔部内への突出量を変更し、筒状ネジの端部でボールをテーパ孔部の拡径方向に移動させ、各ボール間の間隔を拡げることができるため、種々の径に対応させることができる。
【００１３】
本発明では、前述の棒状又は線状部材の延出方向に対して、クランプ本体を仰角方向に回転自在に支持する支持手段を備えているのが好ましい。
この発明によれば、例えば、前述したイリザロフ式の創外固定器クランプ具を採用した場合、引張荷重を作用させたワイヤは、このクランプ具で保持固定され、人体等の荷重はこのワイヤを弯曲させる方向に作用する。
ここで、上述した支持手段がない場合、クランプ具のワイヤ引出開口端部にワイヤの外周面が接触し人体等の荷重の影響を強く受け、場合によっては、金属疲労等によりワイヤが破断する可能性がある。
これに対して、支持手段がある場合、人体等の荷重が作用するとクランプ本体を回動させることができるため、ワイヤへの人体等の荷重の影響を少なくすることができ、ワイヤ等の棒状又は線状部材が破断する可能性を少なくすることができる。
【００１４】
本発明の創外固定器は、骨内部を貫通する棒状又は線状部材と、前記骨を創外で囲むように配置されるフレームと、このフレームに設けられ、前記棒状又は線状部材を、所定の引張荷重を作用させた状態で前記フレーム上に固定するクランプ具とを備えた創外固定器であって、前記クランプ具は、請求項１〜請求項４のいずれかに記載のクランプ具であることを特徴とする。
この発明によれば、前述した作用及び効果と同様の作用及び効果を享受できる創外固定器とすることができ、特に、イリザロフ式の創外固定器として好適に用いることができる。
【００１５】
【発明の実施の形態】
以下、本発明の実施形態を図面に基づいて説明する。
〔第１実施形態〕
図１には、本発明の第１実施形態に係るいわゆるイリザロフ式の創外固定器が示されており、この創外固定器は、骨Ｂの患部を挟んで配置される一対のリング状のフレーム１と、このフレーム１に取り付けられるワイヤＷと、一対のフレーム１を連結する複数のロッドＲを備えている。各フレーム１にはワイヤＷが２本取り付けられている。フレーム１に取り付けられたワイヤＷ同士は互いに直交するように配置され、骨折した骨の上部又は下部を貫通している。
ロッドＲは、一対のフレーム１間の距離を調整する間隔調整機構を備え、間隔調整機構を操作すると、一対のフレーム１間の距離が調整され、患部を挟む各骨を上下方向に伸長して患部が適切な状態となるように矯正することができる。
【００１６】
リング状のフレーム１は、図２に示すように、創外から骨Ｂを囲むように配置され、ワイヤＷは、引張荷重を作用させた状態でフレーム１にクランプ具２を介して取り付けられる。
ワイヤＷは、それぞれが患部を有する骨Ｂの骨軸を貫通するように直交配置され、本例では、φ２ｍｍ、材質はＳＵＳ３１６Ｌとされているが、その他、Ｔｉ−６Ａｌ−４Ｖ、および、Ｔｉ−６Ａｌ−７Ｎｂのチタン合金等と、Ｎｉフリーステンレス綱を採用することもできる。尚、２本のワイヤＷの貫通位置は、上下方向にずれており、上側のワイヤＷが貫通する孔Ｈ１と、下側ワイヤＷが貫通する孔Ｈ２との間には、略１５ｍｍ程度の距離が設定されている。このようにすることで、両者が干渉して骨の貫通部分が脆く崩れることを防止して、充分な強度を確保している。
【００１７】
また、リング状のフレーム１は、カーボン製の一体成形品から構成され、このフレーム１の高さ寸法は、前記の孔Ｈ１及び孔Ｈ２の間隔に応じた設定とされる。従って、フレーム１は複数種類の高さ寸法のものが準備されており、ワイヤＷの貫通位置に応じて適宜選択できるようになっている。尚、図２では図示を略したが、このフレーム１には、該フレーム１の上面１１及び下面１２を貫通する孔が複数形成されており、前記のロッドＲが挿入できるようになっている。
このリング状のフレーム１には、互いに略直交する位置に４つのクランプ具２が取り付けられていて、互いに対向する一対のクランプ具２にそれぞれ、ワイヤＷが挿入固定されている。
互いに対向する一対のクランプ具２の一方は、取付面がフレーム１の上面１１に向けて取り付けられる固定台座１３に固定され、他方は、取付面がフレーム１の下面１２に向けて取り付けられる固定台座１３に固定されている。これにより、ワイヤＷの骨Ｂへの貫通位置をフレーム１の高さ寸法に応じて上下にずらした位置にすることができる。
【００１８】
固定台座１３は、図３（Ａ）、（Ｂ）に示すように、フレーム１の内外を挟持することでフレーム１に固定され、フレーム１の外側に配置される外側固定部１４及び内側に配置される内側固定部１５を備えて構成される。両固定部１４、１５は、外側及び内側から貫通するボルト１６、１７によってフレーム１に挟持固定されている。
外側固定部１４は、図３に示されるように、金属製のブロック材を加工したものであり、ブロック材の内側のフレーム１との当接部分には、図４に示されるように、フレーム１の外周面に沿った曲面状の凹部１４１が形成されている。
【００１９】
この外側固定部１４の外周部分には、フレーム１の断面に沿った一対の端面の一方から他方に向かう方向に、ブロック材の略中央まで延びる切欠部１４２が形成されている。この切欠部１４２は、図３（Ａ）、（Ｂ）では図示を略したが、切欠先端部分が断面円形状に径が拡張されており、この部分に前記のクランプ具２が挿入される。
外側固定部１４の切欠部１４２が形成されたブロック材からなる外側固定部１４の端面近傍には、切欠部１４２を貫通するように孔１４３、１４４が形成され、これらの孔１４３には、ボルト１６が挿入される。孔１４３は、ボルト１６のねじ山よりも大きなルーズ孔とされ、孔１４３はボルト１６と螺合する雌ねじ孔とされている。尚、図示を略したが、切欠部１４２が形成される外側固定部１４の切欠部１４２が形成されない端面には、フレーム１の内外方向に貫通する雌ねじ孔が形成され、この雌ねじ孔には、内側から外側に貫通するボルト１７が螺合する。
【００２０】
内側固定部１５は、外側固定部１４と略同様に、金属製のブロック材から構成され、外側固定部１４の凹部１４１と向き合う部分に、凹部１５１が形成されているとともに、孔１４３、１４４と向き合うように雌ねじ孔１５２が形成されている。また、図４では図示を略したが、この内側固定部１５の雌ねじ孔１５２とは反対側の部分には、ボルト１７と螺合する雌ねじ孔が形成されている。
このような外側固定部１４及び内側固定部１５を備えた固定台座１３により、クランプ具２をリング状のフレーム１に固定する場合、内側固定部１５をフレーム１の内側に配置し、外側固定部１４をフレーム１の外側に配置し、ボルト１６、１７を締め付けることにより、両固定部１４、１５の距離を接近させ、フレーム１の側面部分をそれぞれの凹部１４１、１５１によって挟持する。この締め付けに際して、外側固定部１４の切欠部１４２の先端側円形状部分にクランプ具２を挿入し、ボルト１６の締め付けによって固定台座１３上にクランプ具２を締め付け固定する。
【００２１】
クランプ具２は、図３（Ａ）、（Ｂ）及び図４に示すように、支柱部２１、支持部２２、及びクランプ本体部２３を備えて構成される。
支柱部２１は、金属製の円柱状体から構成され、外側固定部１４の切欠部１４２の円形状部分に挿入され、この支柱部２１の上端部分には、支持部２２が設けられている。
支持部２２は、クランプ本体部２３を支持する部分であり、図３（Ａ）、（Ｂ）に示されるように、正面視で略Ｕ字状の金属製部材から構成されている。
【００２２】
支持部２２のＵ字の底面部２２１は、前記の支柱部２１の上端面に接合され、この底面部２２１には、互いに対向する端部から立設される一対の側面部２２２が設けられている。
側面部２２２の中間部分には、外側端部から内側略中央に向かって切欠部２２３が形成され、この切欠部２２３にクランプ本体部２３が取り付けられる。
【００２３】
クランプ本体部２３は、図５に示すように、ケーシング２４、ワイヤ挟持部２５、外側規制部２６、内側規制部２７、及びコイルバネ２８を備えて構成される。
ケーシング２４は、クランプ本体部２３を構成する部品を収納する金属製材料からなる直方体状の外装筐体として構成され、直方体の互いに対向する一対の側面には突起２４１が一体的に突出形成されている。各突起２４１は、支持部２２の切欠部２２３と係合し、ワイヤＷに引張荷重をさせると、突起２４１が切欠部２２３に押さえつけられた状態で、かつワイヤＷに対して仰角方向に回転自在に保持される。つまり、突起２４１及び切欠部２２３の組合せによりクランプ本体部２３を仰角方向に回転自在に支持する支持手段として機能する。
【００２４】
ケーシング２４の内部は、内外方向に開口された円筒状空間とされ、外側端面から中間部分までが外側雌ねじ部２４２、中間部分から内側近傍までがテーパ孔部２４３、及び内側近傍から内側端面までが内側雌ねじ部２４４とされている。
外側雌ねじ部２４２のねじ径に対して内側雌ねじ部２４４のねじ径は小さくなっていて、テーパ孔部２４３は、外側から内側に向かって次第に径が縮小する円錐台状の内面形状を有している。
【００２５】
ワイヤ挟持部２５は、ケーシング２４の内部の空間に進退自在に配置される軸状部材として構成され、この軸状部材の内部にはワイヤＷが挿通されている。このワイヤ挟持部２５は、詳細に説明すれば、図６（Ａ）〜（Ｃ）に示されるように、軸状部材の中間部分が径方向に拡大した形状を有し、ワイヤＷが挿通される挿通部２５１と、この挿通部２５１の中間部分で径方向に断面が拡大された挟持部２５２とを備えている。この挿通部２５１及び挟持部２５２の内部には、ワイヤＷの引張方向に沿って延びる孔２５３が形成されている。
挟持部２５２の外周面には、ワイヤ挟持部２５の軸回りに３つの凹部２５４が形成されており、この凹部２５４には、ステンレス製の挟持ボール２５５が収納される。各凹部２５４に挟持ボール２５５が収納されると、図６（Ｃ）に示されるように、挟持ボール２５５の外周面が挟持部２５２の外面から常に突出するようになっている。
また、凹部２５４の底面は、孔２５３に開口され、挟持ボール２５５が収納されると、挟持ボール２５５の外周面が孔２５３内部に突出するようになっている。尚、この際、挟持ボール２５５の中心は、テーパ孔部２４３との当接位置によらず、ワイヤＷの軸に直交する面内に軸回りに均等配置される
このワイヤ挟持部２５がケーシング２４内に収納されると、挟持ボール２５５の外周面は、テーパ孔部２４３に当接する。そして、挟持ボール２５５は、テーパ孔部２４３との当接位置に応じて凹部２５４の底面からの突出量が変化する。
【００２６】
外側規制部２６は、ケーシング２４の外側端面開口を塞ぐ部材であり、図５に示されるように、正面視六角形状の基部２６１（図３参照）と、この基部２６１の中央にケーシング２４の内部に向けて突設される雄ねじ部２６２とを備えている。また、この外側規制部２６には、内外にワイヤＷを挿通する挿通孔２６３が形成されている。この挿通孔２６３は、内側部分が拡径されていて、径が変化する部分には、段差部２６４が形成されている。
【００２７】
内側規制部２７は、軸状部材として構成され、ケーシング２４の内側端面開口を塞ぐ部材である。この内側規制部２７のケーシング２４の挿入側には雄ねじ部２７１が形成されている。この雄ねじ部２７１は、ケーシング２４の内側の雌ねじ部２４４と螺合し、この雄ねじ部２７１の先端面には、外側に拡がるフランジ部２７４が形成されている。このフランジ部２７４の先端面は、前記のワイヤ挟持部２５の挿通部２５１及び挟持部２５２の間の段差面に当接する。
また、内側規制部２７のケーシング２４の外側に露出する部分は六角ナット形状の回動部２７２とされている。さらに、内側規制部２７の内部には、軸方向に沿ってワイヤＷを挿通する挿通孔２７３が形成されている。
【００２８】
コイルバネ２８は、前述したワイヤ挟持部２５を内側に付勢する付勢手段として機能する部材であり、挿通部２５１の外周部分に装着され、その先端が挟持部２５２と挿通部２５１の段差面に当接するとともに、基端が外側規制部２６の段差部２６４に当接し、コイルバネ２８は、段差面及びこの段差部２６４の間で付勢された状態で収納される。
このようなクランプ本体部２３を組み立てる際には、図７に示されるように、ケーシング２４に内側規制部２７を螺合固定し、内側規制部２７のフランジ部２７４に当接するようにワイヤ挟持部２５をケーシング２４内に収納するとともに、ワイヤ挟持部２５にコイルバネ２８を装着し、外側規制部２６をケーシング２４に螺合固定する。
【００２９】
前述したクランプ具２は、次のように作用してワイヤＷを挿入し、挟持することができる。
すなわち、ワイヤＷを内側規制部２７に挿通すると、ワイヤＷは、さらにワイヤ挟持部２５に挿通され、この際の力により、ワイヤ挟持部２５は、外側規制部２６側に押されて移動する。この際、挟持ボール２５５はテーパ孔部２４３に沿って互いに遠ざかるように離れ、ワイヤＷへの挟持力が減少し、ワイヤＷがより挿入し易くなる。そして、ワイヤＷが外側規制部２６の外側に出た時点で挿入を終了する。
【００３０】
一方、挿通したワイヤＷを内側（内側規制部２７側）に引っ張ると、ワイヤＷの引張力及びコイルバネ２８の付勢力によってワイヤ挟持部２５が内側規制部２７側に移動する。ワイヤ挟持部２５の移動に伴って、挟持部２５２に取り付けられた各挟持ボール２５５は、テーパ孔部２４３によって次第に孔２５３からの突出量が増大し、これに伴い、挟持ボール２５５によってワイヤＷを挟持する力が増加し、ワイヤＷがクランプ具２に保持固定される。
なお、クランプ具２を用いて径の異なるワイヤＷや棒状部材を挟持する場合、内側規制部２７の螺合位置を変更し、フランジ部２７４の位置を変更することにより、挟持ボール２５５のテーパ孔部２４３との当接位置が変更され、異なる径のワイヤ等にも対応することができる。
【００３１】
前述のような第１実施形態によれば、次のような効果がある。
（１）ワイヤＷの挿入時、テーパ孔部２４３内面の拡径側に挟持ボール２５５を待避させた状態でワイヤＷを挿入することができ、極めて簡単にワイヤＷを挿入することができる。一方、ワイヤＷに引張荷重を作用させると、コイルバネ２８によって各挟持ボール２５５がテーパ孔部２４３の径の縮小する方向に向かって付勢され、所定の挟持力が発現する。従って、例えば１１７６〜１２７４Ｎ程度の力となっても、クランプ具２によって十分な挟持力でワイヤＷを保持固定することができる。
【００３２】
（２）挟持ボール２５５の中心がワイヤＷの軸に直交する面内に均等に配置される構成となっていることにより、各挟持ボール２５５のワイヤＷへの挟持力をワイヤＷの軸回りに均等に作用させることができるため、ワイヤＷを強固に保持固定することができる。
（３）クランプ本体部２３がケーシング２４と螺合する内側規制部２７を備えていることにより、この螺合位置を変更することで内部の挟持ボール２５５のテーパ孔部２４３との当接位置を変更することができ、当接位置を変更することにより、挟持ボール２５５の突出量を変更して異なる径のワイヤＷや、棒状部材の保持固定に対応させることができる。
【００３３】
（４）ワイヤＷの延出方向に対する仰角方向にクランプ本体部２３が回動自在に支持部２２に取り付けられているため、イリザロフ式の創外固定器として用いた場合、ワイヤＷに体重等の荷重が作用しても、クランプ本体部２３の取付位置でワイヤＷにせん断力が集中的に作用することがなく、ワイヤＷの破断を防止することができる。
【００３４】
〔第２実施形態〕
次に、本発明の第２実施形態について説明する。尚、以下の説明では、既に説明した部分又は部材等は同一符号を付して、その説明を省略又は簡略する。
前述した第１実施形態では、クランプ本体部２３は、ワイヤＷの軸方向に対する仰角方向に回動可能に支持部２２に取り付けられていた。
これに対して、第２実施形態に係るクランプ具３は、図８に示すように、支柱部２１に直接固定されている点が相違する。
【００３５】
また、第１実施形態では、ケーシング２４に内側規制部２７が螺合し、螺合位置を調整することにより、異なるワイヤＷの径に対応できるようになっていた。
これに対して、第２実施形態に係るクランプ具３はそのような機構が設けられていない点が相違する。
さらに、第１実施形態では、ケーシング２４内にワイヤＷの軸回りに３個の挟持ボール２５５を配置して、ワイヤＷを挟持する構成とされていた。
これに対して、第２実施形態に係るクランプ具３は、図９に示されるように２個の挟持ボール２５５によりワイヤＷを挟持している点が相違する。
【００３６】
前記相違点をより詳細に説明すれば、図８に示されるように、第２実施形態に係るクランプ具３は、支柱部２１とクランプ本体部３１とが直結された一体構造とされている。
また、図９に示すように、クランプ具３は、ケーシング３２、挟持ボール２５５、外側規制部３３、及びコイルバネ２８から構成されている。
ケーシング３２は、外側から雌ねじ部３２１、半円筒状部３２２、及び円錐台部３２３を備えている。雌ねじ部３２１は、外側規制部３３の雄ねじ部３３１が螺合する部分として構成される。
【００３７】
半円筒状部３２２は、ワイヤＷの同軸の円筒体内面として構成され、この内部にはコイルバネ２８が収納される。
円錐台部３２３は、円錐台の半分に応じた内面として構成され、この円錐台部３２３が、挟持ボール２５５が当接するテーパ孔部とされる。
尚、図示を略したが、挟持ボール２５５は、図９の紙面直交方向に２つ配置され、これに応じてコイルバネ２８も紙面直交方向に２つ配置されている。
ケーシング３２内に挟持ボール２５５及びコイルバネ２８を収納し、外側規制部３３を螺合すると、コイルバネ２８が圧縮され、挟持ボール２５５が円錐台部３２３内面に付勢され、挟持ボール２５５が円錐台部３２３の先端側に移動するに従って、２つの挟持ボール２５５は互いに接近してワイヤＷを挟持する。
【００３８】
このようなクランプ具３の作用は基本的に第１実施形態の作用と同様であるが、前記で述べた効果（１）に加えて、次のような効果がある。
すなわち、クランプ具３を極めて単純な構造とすることができるため、クランプ具３の部品コスト、製造コストを大幅に低減することができる。
【００３９】
〔実施形態の変形〕
尚、本発明は前述の実施形態に限定されるものではなく、次に示すような変形をも含むものである。
前述の実施形態では、イリザロフ式の創外固定具に本発明のクランプ具２、３を採用していたが、本発明はこれに限らず、手術時に使用するクランプ具として採用してもよく、要するに引張荷重が作用するワイヤや軸状部材をクランプする場合に好適に用いることができる。
【００４０】
前述の実施形態では、クランプ具２は、リング状のフレーム１に取り付けられていたが、本発明はこれに限られず、リングの一部が欠損したフレームにクランプ具を取り付け、イリザロフ式創外固定器として利用してもよい。
前述の実施形態では、クランプ具２、３を構成する部材をステンレス製としていたが、これに限らず、要するに、ワイヤＷを挟持する際に変形や破壊をしない材料であれば、セラミック製、合成樹脂製等他の材料を採用してもよい。
その他、本発明の実施の際の具体的な構造及び形状等は、本発明の目的を達成できる範囲で他の構造等としてもよい。
【００４１】
【発明の効果】
前述のような本発明のクランプ具及び創外固定器によれば、ボールの進退によって棒状又は線状部材への挟持力を変更させることができるため、棒状又は線状部材を簡単にクランプすることができる。
【図面の簡単な説明】
【図１】本発明の第１実施形態に係るイリザロフ式創外固定器の構造を表す概要図である。
【図２】前記実施形態における骨に対するワイヤの配置及びクランプ具の配置を示す概要斜視図である。
【図３】前記実施形態におけるクランプ具の構造を表す概要斜視図である。
【図４】前記実施形態におけるクランプ具の側面図である。
【図５】前記実施形態におけるクランプ具の水平方向断面図である。
【図６】前記実施形態におけるクランプ具を構成するワイヤ挟持部の斜視図、断面図である。
【図７】前記実施形態におけるクランプ具の組立方法を説明するための分解図である。
【図８】本発明の第２実施形態に係るクランプ具の構成を表す側面図である。
【図９】前記実施形態におけるクランプ具の垂直断面図である。
【符号の説明】
２、３…クランプ具
２３、３１…クランプ本体部
２７…内側規制部（位置調整手段）
２８…コイルバネ（付勢手段）
２４３、３２３…テーパ孔部
２５５…挟持ボール（ボール）
Ｂ…骨
Ｗ…ワイヤ（棒状又は線状部材）
【図１】
2005065748.tif 000003
【図２】
2005065748.tif 000004
【図３】
2005065748.tif 000005
【図４】
2005065748.tif 000006
【図５】
2005065748.tif 000007
【図６】
2005065748.tif 000008
【図７】
2005065748.tif 000009
【図８】
2005065748.tif 000010
【図９】
2005065748.tif 000011